(57)【要約】【課題】直感的に広告出稿条件を指定できるよう、かつ、場所の特性を反映した多彩な広告メニューを構成でき、放映計画の作案を自動化、省力化でき、ロケーション側の審査を行いながら、外部環境の変化に応じて放映直前の素材データ差し替えを可能にする。【解決手段】放映計画情報等を記憶するメタデータ記憶手段１０、表示装置５に設定される媒体枠を示す媒体枠情報を入力する媒体枠情報入力手段１１、媒体枠を適宜分割および統合してなる販売枠を示す販売枠情報を生成する販売枠情報生成手段１２、広告出稿条件を入力する広告出稿条件入力手段１３、販売枠情報を検索する販売枠情報検索手段１４、広告ＩＤを販売枠情報に含ませる広告割り付け手段１５、販売枠情報を確定する販売枠情報確定手段１６、販売枠情報内の広告ＩＤを含む放映計画情報を生成する放映計画情報生成手段１７、放映計画情報を送信する放映計画情報送信手段１８を設ける。【選択図】図２
2011109564.tif 000002
【特許請求の範囲】
【請求項１】
表示装置における広告の放映可能な時間区間である媒体枠で放映すべき広告を示す放映計画情報を生成する放映計画情報生成装置であって、
放映可能な広告を示す広告ＩＤと広告の内容とを含む広告情報を記憶する広告情報記憶手段と、
媒体枠を適宜分割および統合してなる販売枠を示す販売枠情報を生成するためのテンプレートである販売枠情報テンプレートを記憶する販売枠情報テンプレート記憶手段と、
前記販売枠情報が記憶される販売枠情報記憶手段と、
前記放映計画情報が記憶される放映計画情報記憶手段と、
複数の表示装置のそれぞれについて、且つ、該表示装置における複数の媒体枠のそれぞれについて、該媒体枠に対応する時間区間および表示装置を示す媒体枠情報を入力する媒体枠情報入力手段と、
前記販売枠情報テンプレートを読み出し、該販売枠情報テンプレートに基づいて、前記入力された媒体枠情報に対応する販売枠情報を生成し、前記販売枠情報記憶手段に記憶させる販売枠情報生成手段と、
前記販売枠情報記憶手段から販売枠情報を読み出し、該販売枠情報に対応する販売枠に放映すべき広告の広告ＩＤを当該販売枠情報に含ませる広告割り付け手段と、
前記販売枠を構成する媒体枠について、該媒体枠に対応する前記販売枠情報内の広告ＩＤを含む放映計画情報を生成し、前記放映計画情報記憶手段に記憶させる放映計画情報生成手段と
を備えることを特徴とする放映計画情報生成装置。
【請求項２】
前記広告情報は広告の時間長を含み、
前記放映計画情報生成手段は、
前記放映計画情報に含ませる各広告ＩＤについて、該広告ＩＤと当該放映計画情報に対応する媒体枠に残っている時間区間の長さとを含むレコードを生成し、当該レコードからなるリストを生成する第１の手段と、
前記リストにおいてレコードを並べる第２の手段と、
前記リストから１番目のレコードを取り出し、該レコード内の広告ＩＤを放映計画情報に含ませる第３の手段と、
当該広告ＩＤを含む広告情報を前記広告情報記憶手段から読み出し、前記取り出したレコードに設定された時間区間の長さから当該読み出した広告情報内の広告の時間長を減算する第４の手段と、
前記減算後の値が０より大きいか否かを判定し、当該値が０より大きいなら、当該取り出したレコードを前記リストに戻す第５の手段と、
前記第２ないし第５の手段を前記リストにレコードが存在する限りにおいて機能させる第６の手段と
を備え、
前記第２の手段は、前記リストにおいて時間区間の長い順にレコードを並べる
ことを特徴とする請求項１記載の放映計画情報生成装置。
【請求項３】
前記広告情報は広告に関する業種を示す業種ＩＤを含み、且つ、前記第２の手段は、前記リストにおいて時間区間の長い順にレコードを並べ且つ同じ前記業種ＩＤとともに広告情報に含まれる各広告ＩＤを含むレコードが前記リストにおいて並ばないようにする、
若しくは、
前記広告情報は広告に関する業種を示す業種ＩＤを含み、且つ、前記第２の手段は、前記リストにおいて時間区間の長い順にレコードを並べるのでなく、同じ前記業種ＩＤとともに広告情報に含まれる各広告ＩＤを含むレコードが前記リストにおいて並ばないようにする
ことを特徴とする請求項２記載の放映計画情報生成装置。
【請求項４】
前記複数の表示装置のそれぞれについて、該表示装置の場所に関する場所情報を記憶する場所情報記憶手段と、
所定の条件を満たす前記場所情報を前記場所情報記憶手段から検索し、該場所情報に対応する表示装置についての販売枠情報を前記販売枠情報記憶手段から検索する販売枠情報検索手段とを備え、
前記広告割り付け手段は広告ＩＤを当該販売枠情報に含ませる
ことを特徴とする請求項１ないし３のいずれかに記載の放映計画情報生成装置。
【請求項５】
前記広告情報は広告を放映すべき条件である広告放映条件を含み、
前記放映計画情報生成装置は、
動的に変化する動的変動データを逐次入力する動的変動データ入力手段と、
前記入力された動的変動データと前記広告放映条件とに基づいて、前記放映計画情報内の広告ＩＤについて放映可能な複数の広告から当該広告ＩＤについて放映される広告を選択する動的広告確定手段と
を備えることを特徴とする請求項１ないし４のいずれかに記載の放映計画情報生成装置。
【請求項６】
表示装置における広告の放映可能な時間区間である媒体枠で放映すべき広告を示す放映計画情報を生成する放映計画情報生成装置が行う放映計画情報生成方法であって、
前記放映計画情報生成装置は、
放映可能な広告を示す広告ＩＤと広告の内容と広告の時間長とを含む広告情報を記憶する広告情報記憶手段と、
媒体枠を適宜分割および統合してなる販売枠を示す販売枠情報を生成するためのテンプレートである販売枠情報テンプレートを記憶する販売枠情報テンプレート記憶手段と、
前記販売枠情報が記憶される販売枠情報記憶手段と、
前記放映計画情報が記憶される放映計画情報記憶手段とを備え、
前記放映計画情報生成方法は、
前記放映計画情報生成装置の媒体枠情報入力手段が、複数の表示装置のそれぞれについて、且つ、該表示装置における複数の媒体枠のそれぞれについて、該媒体枠に対応する時間区間および表示装置を示す媒体枠情報を入力する媒体枠情報入力ステップと、
前記放映計画情報生成装置の販売枠情報生成手段が、前記販売枠情報テンプレートを読み出し、該販売枠情報テンプレートに基づいて、前記入力された媒体枠情報に対応する販売枠情報を生成し、前記販売枠情報記憶手段に記憶させる販売枠情報生成ステップと、
前記放映計画情報生成装置の広告割り付け手段が、前記販売枠情報記憶手段から販売枠情報を読み出し、該販売枠情報に対応する販売枠に放映すべき広告の広告ＩＤを当該販売枠情報に含ませる広告割り付けステップと、
前記放映計画情報生成装置の放映計画情報生成手段が、前記販売枠を構成する媒体枠について、該媒体枠に対応する前記販売枠情報内の広告ＩＤを含む放映計画情報を生成し、前記放映計画情報記憶手段に記憶させる放映計画情報生成ステップと
を備えることを特徴とする放映計画情報生成方法。
【請求項７】
前記放映計画情報生成ステップは、
前記放映計画情報に含ませる各広告ＩＤについて、該広告ＩＤと当該放映計画情報に対応する媒体枠に残っている時間区間の長さとを含むレコードを生成し、当該レコードからなるリストを生成する第１のステップと、
前記リストにおいてレコードを並べる第２のステップと、
前記リストから１番目のレコードを取り出し、該レコード内の広告ＩＤを放映計画情報に含ませる第３のステップと、
当該広告ＩＤを含む広告情報を前記広告情報記憶手段から読み出し、前記取り出したレコードに設定された時間区間の長さから当該読み出した広告情報内の広告の時間長を減算する第４のステップと、
前記減算後の値が０より大きいか否かを判定し、当該値が０より大きいなら、当該取り出したレコードを前記リストに戻す第５のステップと、
前記第２ないし第５のステップを前記リストにレコードが存在する限りにおいて機能させる第６のステップと
を備え、
前記第２のステップは、前記リストにおいて時間区間の長い順にレコードを並べる
ことを特徴とする請求項６記載の放映計画情報生成方法。
【請求項８】
前記広告情報は広告に関する業種を示す業種ＩＤを含み、且つ、前記第２のステップは、前記リストにおいて時間区間の長い順にレコードを並べ且つ同じ前記業種ＩＤとともに広告情報に含まれる各広告ＩＤを含むレコードが前記リストにおいて並ばないようにする、
若しくは、
前記広告情報は広告に関する業種を示す業種ＩＤを含み、且つ、前記第２のステップは、前記リストにおいて時間区間の長い順にレコードを並べるのでなく、同じ前記業種ＩＤとともに広告情報に含まれる各広告ＩＤを含むレコードが前記リストにおいて並ばないようにする
ことを特徴とする請求項７記載の放映計画情報生成方法。
【請求項９】
前記放映計画情報生成装置は、
前記複数の表示装置のそれぞれについて、該表示装置の場所に関する場所情報を記憶する場所情報記憶手段を備え、
前記放映計画情報生成方法は、
前記放映計画情報生成装置の販売枠情報検索手段が、所定の条件を満たす前記場所情報を前記場所情報記憶手段から検索し、該場所情報に対応する表示装置についての販売枠情報を前記販売枠情報記憶手段から検索する販売枠情報検索ステップを備え、
前記広告割り付けステップでは広告ＩＤを当該販売枠情報に含ませる
ことを特徴とする請求項６ないし８のいずれかに記載の放映計画情報生成方法。
【請求項１０】
前記広告情報は広告を放映すべき条件である広告放映条件を含み、
前記放映計画情報生成方法は、
前記放映計画情報生成装置の動的変動データ入力手段が、動的に変化する動的変動データを逐次入力する動的変動データ入力ステップと、
前記放映計画情報生成装置の動的広告確定手段が、前記入力された動的変動データと前記広告放映条件とに基づいて、前記放映計画情報内の広告ＩＤについて放映可能な複数の広告から当該広告ＩＤについて放映される広告を選択する動的広告確定ステップと
を備えることを特徴とする請求項６ないし９のいずれかに記載の放映計画情報生成方法。
【請求項１１】
請求項１ないし５のいずれかに記載の放映計画情報生成装置としてコンピュータを機能させるためのコンピュータプログラム。
【発明の詳細な説明】
【技術分野】
【０００１】
本発明は、放映計画情報生成装置、放映計画情報生成方法およびコンピュータプログラムに関し、詳しくは、複数の表示装置の広告枠の取引をネットワーク経由で行い、広告枠売買業務や広告および放映スケジュールの配信業務を効率化するための技術に関する。
【背景技術】
【０００２】
デジタルサイネージ（以下、サイネージまたはＤＳと略す。）は、「屋外・店頭・公共空間・交通機関など、あらゆる場所で、ネットワークに接続したディスプレイなどの電子的な表示機器を使って情報を発信するシステム」と定義されている。
【０００３】
サイネージは「時間と場所を特定できる唯一のメディア」といわれ、場所と時間でターゲットを指定したコンテンツ配信ができるという優れた特性を持っている。例えば，「夜は帰宅途中のサラリーマンが多く、昼は主婦層が多い」といった場所の特性を考慮して、適切な情報（広告）を適切なタイミングで表示することができる。
【０００４】
このような特長を活かすことができるサイネージは、新しい広告メディアとして期待されているが、ロケーションごとに広告申込み方法やルール（例えば、入稿期限やフォーマットなど）が異なるため、広告主からするとロケーションごとの仕様や手順の違いを意識して広告を出稿する必要があり，手間と時間がかかるという問題がある。
【０００５】
本発明は、複数のデジタルサイネージについての広告枠の取引をネットワーク経由で電子的に仲介するシステムに関するものであり、広告枠売買業務や広告コンテンツ・放映計画の配信業務を効率化することを目的としている。
【０００６】
先行文献を引用して、２つの従来技術とその問題点について以下に述べる。
【０００７】
［従来技術１］
非特許文献１では、デジタルサイネージの広告申し込み（オーダー）の表現方法（従来技術１という）を提案している。具体的には、デジタルサイネージに対して広告申込みを行う際に、広告主（代理店）は、図２８のような項目を指定する。非特許文献１のシステムは、広告主（代理店）からの複数の申し込みを受け付け、その申し込み順に、広告に対して放映時間帯を自動的に割り付ける処理を行っている。
【０００８】
図２９と図３０を用いて、従来技術１の放映時間帯の割り付け方法について説明する。図２９は、４種類の広告申込み（オーダー）の例を示しており、その結果、生成される放送時間帯の割り付け状況を図３０に示している。図３０の横軸は時刻を表し、縦軸にオーダー（Ｔ，Ｂ，Ｒ，Ｓ）を示し、それぞれのオーダーに割り付けられた時間帯をハッチングで示す。表の中の数字はオーダーの優先度（申込み順）を示す。
【０００９】
＊  時間指定オーダー（Ｔ）は、Ｌ５０１という３単位時間（例えば、１５秒を単位時間とすると４５秒間）の尺を持つ広告を、表示開始時刻Ｔ１７から表示終了時刻Ｔ２０まで表示することを依頼するものである。本オーダーでは、表示開始時刻、終了時刻は固定なので、Ｔ１７〜Ｔ２０の時間帯を割り当てる（図３０の符号４００）。
【００１０】
＊  バルクオーダー（Ｂ）は、ＸＰという３単位時間の尺を持つ広告を、表示開始時刻Ｔ１から表示終了時刻Ｔ５０００まで繰り返し表示することを依頼するものである。その時の、サイクル時間（再生許容時間間隔）が１０単位時間であるので、符号４０１、４０２、４０３で示す時間帯に３単位時間の広告をそれぞれ１回ずつ放映することを指定している。
【００１１】
＊  繰り返しオーダー（Ｒ）は、Ｆｅａｔという２単位時間の尺を持つ広告を、表示開始時刻Ｔ１から表示終了時刻Ｔ２３まで繰り返し表示することを依頼するものである。本オーダーでは、サイクル時間長（再生許容時間間隔）は２単位時間でサイクル間隔が８単位時間なので、Ｔ０１，Ｔ０２、および、Ｔ１１，Ｔ１２、および、Ｔ２１，Ｔ２２の時間帯を割り当てるしかない。バルクオーダー（Ｂ）に対して、繰り返しオーダー（Ｒ）が割り当てられていない時間帯であるＴ０３〜Ｔ０５，Ｔ１３〜Ｔ１５，Ｔ２３〜Ｔ２５を割り当てる。
【００１２】
＊  標準スケジュールオーダー（Ｓ）は、ＭｃＤという２単位時間の尺を持つ広告を、表示開始時刻Ｔ１から表示終了時刻Ｔ３０まで繰り返し表示することを依頼するものである。サイクル時間長（再生許容時間間隔）が１０単位時間なので、符号４０４，４０５，４０６で示す１０単位の時間枠に２単位時間の広告をそれぞれ１回ずつ放映したい。符号４０４、４０６の時間枠には、Ｔ０６−Ｔ０７、Ｔ０２６−Ｔ０２７の時間帯を割り当てることができるが、４０５の時間枠には空きが無いので、申込み通りの放映計画は作成できず、１回少ない放映で問題ないか広告主に逆提案することになる。
【００１３】
従来技術１の問題点は、広告申込み条件を直感的に指定できないことである。サイネージの数が増加すると、それぞれのサイネージに対して、放映開始時刻、放映終了時刻、サイクル間隔等を指定することは現実的ではない。広告主の視点で、より直感的、抽象的に広告申込み条件を指定する方法が必要である。例えば、「２００９／１／１〜１／１４の２週間に丸の内エリアのサイネージに１５秒のＣＭを２００回以上放映」、「２０代ＯＬが多く出現する場所に出稿」といった条件指定である。
【００１４】
テレビ広告では、「絵柄」と呼ばれる広告枠の販売パターンが用いられることが多い（非特許文献２を参照）。絵柄の例としては、全日型、ヨの字型、逆Ｌ型、コの字型などがある。絵柄はテレビ視聴者の生活パターンに基づいて設定されており、ヨの字型は、朝と昼にテレビをみる若年女性層向け、逆Ｌ字型は、成人男女または男性有識者向けに効率的にリーチできるとされる。
【００１５】
しかしながら、デジタルサイネージの広告販売の場合は、テレビのように固定的な「絵柄」パターンでは対応できないという問題があった。テレビは、家庭内のメディアであり、曜日や時間帯によって生活者の行動パターンに変化がみられるものの、テレビ局、地域、季節による変化は小さいとみなすことができることから、「絵柄」はテレビ局や季節によらず固定されている。一方、デジタルサイネージは、屋外に設置されたディスプレイであり、その周辺に集まる人の属性や行動パターン、心理状態は時間、季節、天候、場所等によって大きく変化するという特徴を持っていることから、テレビと異なり固定的な「絵柄」のようなパターンでは対応できない。新聞記事の場合も、題事下、挟み込み、記事中、記事下広告など空間的なスペースを広告枠の販売単位としている。新聞紙面の構成は決まっているので、広告枠の販売単位は固定的でよい。以上述べたように、テレビや新聞のように固定的な販売パターン（広告メニューと呼ぶ）が設定できないという問題点は、屋外メディアであるデジタルサイネージ特有の問題点といえる。
【００１６】
さらに、テレビを始めとする既存メディアでは広告出稿ルールが確立しているが、デジタルサイネージではロケーションの都合により出稿ルールがバラバラであり、テレビのチャンネルに相当するディプレイの数が膨大になるため、放映計画の作案が複雑で手作業では裁ききれないという問題があった。テレビ放送の場合は、以下のような業界ルールが確立している：（１）  １時間あたりスポットと呼ばれる広告枠が何回か現れる、（２）  広告枠の最小時間は１５秒、ＣＭは３０秒、４５秒、６０秒といった１５秒の倍数になっている。一方で、デジタルサイネージでは業界ルールが確立しておらず、（１）  混雑する時間帯や施設内のイベントや情報案内の時間帯には広告を入れられないなど、ロケーションの都合で広告出稿できる時間帯が制限される、（２）  放映可能な広告の尺もロケーション毎にバラバラである。
【００１７】
［従来技術２］
特許文献１には、再生時間帯とコンテンツとを列挙し、「再生回数の多い順」、「再生回数の少ない順」といったコンテンツ再生優先モードを指定することで、再生数を平均化しコンテンツ間の不公平を排除できるコンテンツ繰り返し再生装置が開示されている。これは、コンテンツの人気度に基づいて放映計画を自動生成するものである。デジタルサイネージの広告では、広告コンテンツの時間長は可変であり、１５秒や３０秒に固定されるわけではないので、再生回数を平均化すると、長い広告コンテンツを放映する広告主の方が長い時間を占めるため有利になり、広告主毎の公平性が保てないという問題があった。さらに、機械的に広告コンテンツを繰り返し再生すると、同じ業種の広告が並んで流れてしまい広告主からのクレームにつながるといった不都合があった。
【００１８】
もう一つの問題点として、サイネージに表示する素材データ（映像や画像ファイル）は、放映前にロケーション側の審査で承認を受ける必要があるため、放映直前の素材データの差し替えができないことがあった。そのため、天候や気温といった動的な外部条件の変化に応じて、放映する広告の内容を切り替えたいという要望があるが、審査を行っていると間に合わないため対応できないという問題点があった。
【先行技術文献】
【特許文献】
【００１９】
【特許文献１】特開２００５−１６５８７８号公報
【非特許文献】
【００２０】
【非特許文献１】Ｊｏｈｎ  Ｖ．  Ｈａｒｒｉｓｏｎ  ａｎｄ  Ａｎｎａ  Ａｎｄｒｕｓｉｅｗｉｃｚ，  Ａ  ｖｉｒｔｕａｌ  ｍａｒｋｅｔｐｌａｃｅ  ｆｏｒ  ａｄｖｅｒｔｉｓｉｎｇ  ｎａｒｒｏｗｃａｓｔ  ｏｖｅｒ  ｄｉｇｉｔａｌ  ｓｉｇｎａｇｅ  ｎｅｔｗｏｒｋｓ．  Ｅｌｅｃｔｒｏｎｉｃ  Ｃｏｍｍｅｒｃｅ  Ｒｅｓｅａｒｃｈ  ａｎｄ  Ａｐｐｌｉｃａｔｉｏｎｓ  ３  （２００４），  ｐｐ．  １６４  −  １７５．
【非特許文献２】波田浩之、この一冊ですべてわかる広告の基本、日本実業出版社、ｐｐ．  ６０−６１
【発明の概要】
【発明が解決しようとする課題】
【００２１】
上述のように、従来技術には以下のような問題点があった。
【００２２】
１）従来技術１の広告申し込み方法は、サイネージ、放映開始時間、放映終了時間等を直接指定するものであり、広告主視点で直感的に広告出稿条件を指定できない、
２）広告メニューが固定されており、広告主ニーズに適合し、かつ、時間的に変化する場所の特性を反映した多彩な広告メニューを構成できていない、
３）デジタルサイネージは、ロケーション都合で広告出稿できる時間帯や尺がバラバラであり、広告主の公平性や競合の並び順などの考慮が必要になるため、放映計画の作案が複雑で手間がかかる、
４）ロケーション側の審査に時間がかかるため、天候や気温といった動的な外部条件の変化に応じて、放映直前に素材データの差し替えができない。
【００２３】
本発明は、上記問題点を解決し、（１）広告主が直感的に広告出稿条件を指定できるよう、かつ、場所の特性を反映した多彩な広告メニューを構成でき、（２）放映計画の作案を自動化、省力化でき、（３）ロケーション側の審査を行いながら、外部環境の変化に応じて放映直前に素材データを差し替えることを可能にするための技術を提供することを目的とする。
【課題を解決するための手段】
【００２４】
上記の課題を解決するために、第１の本発明に係る放映計画情報生成装置は、表示装置における広告の放映可能な時間区間である媒体枠で放映すべき広告を示す放映計画情報を生成する放映計画情報生成装置であって、放映可能な広告を示す広告ＩＤと広告の内容とを含む広告情報を記憶する広告情報記憶手段と、媒体枠を適宜分割および統合してなる販売枠を示す販売枠情報を生成するためのテンプレートである販売枠情報テンプレートを記憶する販売枠情報テンプレート記憶手段と、前記販売枠情報が記憶される販売枠情報記憶手段と、前記放映計画情報が記憶される放映計画情報記憶手段と、複数の表示装置のそれぞれについて、且つ、該表示装置における複数の媒体枠のそれぞれについて、該媒体枠に対応する時間区間および表示装置を示す媒体枠情報を入力する媒体枠情報入力手段と、前記販売枠情報テンプレートを読み出し、該販売枠情報テンプレートに基づいて、前記入力された媒体枠情報に対応する販売枠情報を生成し、前記販売枠情報記憶手段に記憶させる販売枠情報生成手段と、前記販売枠情報記憶手段から販売枠情報を読み出し、該販売枠情報に対応する販売枠に放映すべき広告の広告ＩＤを当該販売枠情報に含ませる広告割り付け手段と、前記販売枠を構成する媒体枠について、該媒体枠に対応する前記販売枠情報内の広告ＩＤを含む放映計画情報を生成し、前記放映計画情報記憶手段に記憶させる放映計画情報生成手段とを備えることを特徴とする。
【００２５】
例えば、前記広告情報は広告の時間長を含み、前記放映計画情報生成手段は、前記放映計画情報に含ませる各広告ＩＤについて、該広告ＩＤと当該放映計画情報に対応する媒体枠に残っている時間区間の長さとを含むレコードを生成し、当該レコードからなるリストを生成する第１の手段と、前記リストにおいてレコードを並べる第２の手段と、前記リストから１番目のレコードを取り出し、該レコード内の広告ＩＤを放映計画情報に含ませる第３の手段と、当該広告ＩＤを含む広告情報を前記広告情報記憶手段から読み出し、前記取り出したレコードに設定された時間区間の長さから当該読み出した広告情報内の広告の時間長を減算する第４の手段と、前記減算後の値が０より大きいか否かを判定し、当該値が０より大きいなら、当該取り出したレコードを前記リストに戻す第５の手段と、前記第２ないし第５の手段を前記リストにレコードが存在する限りにおいて機能させる第６の手段とを備え、前記第２の手段は、前記リストにおいて時間区間の長い順にレコードを並べることを特徴とする。
【００２６】
例えば、前記広告情報は広告に関する業種を示す業種ＩＤを含み、且つ、前記第２の手段は、前記リストにおいて時間区間の長い順にレコードを並べ且つ同じ前記業種ＩＤとともに広告情報に含まれる各広告ＩＤを含むレコードが前記リストにおいて並ばないようにする、若しくは、前記広告情報は広告に関する業種を示す業種ＩＤを含み、且つ、前記第２の手段は、前記リストにおいて時間区間の長い順にレコードを並べるのでなく、同じ前記業種ＩＤとともに広告情報に含まれる各広告ＩＤを含むレコードが前記リストにおいて並ばないようにすることを特徴とする。
【００２７】
例えば、前記複数の表示装置のそれぞれについて、該表示装置の場所に関する場所情報を記憶する場所情報記憶手段と、所定の条件を満たす前記場所情報を前記場所情報記憶手段から検索し、該場所情報に対応する表示装置についての販売枠情報を前記販売枠情報記憶手段から検索する販売枠情報検索手段とを備え、前記広告割り付け手段は広告ＩＤを当該販売枠情報に含ませることを特徴とする。
【００２８】
例えば、前記広告情報は広告を放映すべき条件である広告放映条件を含み、前記放映計画情報生成装置は、動的に変化する動的変動データを逐次入力する動的変動データ入力手段と、前記入力された動的変動データと前記広告放映条件とに基づいて、前記放映計画情報内の広告ＩＤについて放映可能な複数の広告から当該広告ＩＤについて放映される広告を選択する動的広告確定手段とを備えることを特徴とする。
【００２９】
第２の本発明に係る放映計画情報生成方法は、表示装置における広告の放映可能な時間区間である媒体枠で放映すべき広告を示す放映計画情報を生成する放映計画情報生成装置が行う放映計画情報生成方法であって、前記放映計画情報生成装置は、放映可能な広告を示す広告ＩＤと広告の内容と広告の時間長とを含む広告情報を記憶する広告情報記憶手段と、媒体枠を適宜分割および統合してなる販売枠を示す販売枠情報を生成するためのテンプレートである販売枠情報テンプレートを記憶する販売枠情報テンプレート記憶手段と、前記販売枠情報が記憶される販売枠情報記憶手段と、前記放映計画情報が記憶される放映計画情報記憶手段とを備え、前記放映計画情報生成方法は、前記放映計画情報生成装置の媒体枠情報入力手段が、複数の表示装置のそれぞれについて、且つ、該表示装置における複数の媒体枠のそれぞれについて、該媒体枠に対応する時間区間および表示装置を示す媒体枠情報を入力する媒体枠情報入力ステップと、前記放映計画情報生成装置の販売枠情報生成手段が、前記販売枠情報テンプレートを読み出し、該販売枠情報テンプレートに基づいて、前記入力された媒体枠情報に対応する販売枠情報を生成し、前記販売枠情報記憶手段に記憶させる販売枠情報生成ステップと、前記放映計画情報生成装置の広告割り付け手段が、前記販売枠情報記憶手段から販売枠情報を読み出し、該販売枠情報に対応する販売枠に放映すべき広告の広告ＩＤを当該販売枠情報に含ませる広告割り付けステップと、前記放映計画情報生成装置の放映計画情報生成手段が、前記販売枠を構成する媒体枠について、該媒体枠に対応する前記販売枠情報内の広告ＩＤを含む放映計画情報を生成し、前記放映計画情報記憶手段に記憶させる放映計画情報生成ステップとを備えることを特徴とする。
【００３０】
例えば、前記放映計画情報生成ステップは、前記放映計画情報に含ませる各広告ＩＤについて、該広告ＩＤと当該放映計画情報に対応する媒体枠に残っている時間区間の長さとを含むレコードを生成し、当該レコードからなるリストを生成する第１のステップと、前記リストにおいてレコードを並べる第２のステップと、前記リストから１番目のレコードを取り出し、該レコード内の広告ＩＤを放映計画情報に含ませる第３のステップと、当該広告ＩＤを含む広告情報を前記広告情報記憶手段から読み出し、前記取り出したレコードに設定された時間区間の長さから当該読み出した広告情報内の広告の時間長を減算する第４のステップと、前記減算後の値が０より大きいか否かを判定し、当該値が０より大きいなら、当該取り出したレコードを前記リストに戻す第５のステップと、前記第２ないし第５のステップを前記リストにレコードが存在する限りにおいて機能させる第６のステップとを備え、前記第２のステップは、前記リストにおいて時間区間の長い順にレコードを並べることを特徴とする。
【００３１】
例えば、前記広告情報は広告に関する業種を示す業種ＩＤを含み、且つ、前記第２のステップは、前記リストにおいて時間区間の長い順にレコードを並べ且つ同じ前記業種ＩＤとともに広告情報に含まれる各広告ＩＤを含むレコードが前記リストにおいて並ばないようにする、若しくは、前記広告情報は広告に関する業種を示す業種ＩＤを含み、且つ、前記第２のステップは、前記リストにおいて時間区間の長い順にレコードを並べるのでなく、同じ前記業種ＩＤとともに広告情報に含まれる各広告ＩＤを含むレコードが前記リストにおいて並ばないようにすることを特徴とする。
【００３２】
例えば、前記放映計画情報生成装置は、前記複数の表示装置のそれぞれについて、該表示装置の場所に関する場所情報を記憶する場所情報記憶手段を備え、前記放映計画情報生成方法は、前記放映計画情報生成装置の販売枠情報検索手段が、所定の条件を満たす前記場所情報を前記場所情報記憶手段から検索し、該場所情報に対応する表示装置についての販売枠情報を前記販売枠情報記憶手段から検索する販売枠情報検索ステップを備え、前記広告割り付けステップでは広告ＩＤを当該販売枠情報に含ませることを特徴とする。
【００３３】
例えば、前記広告情報は広告を放映すべき条件である広告放映条件を含み、前記放映計画情報生成方法は、前記放映計画情報生成装置の動的変動データ入力手段が、動的に変化する動的変動データを逐次入力する動的変動データ入力ステップと、前記放映計画情報生成装置の動的広告確定手段が、前記入力された動的変動データと前記広告放映条件とに基づいて、前記放映計画情報内の広告ＩＤについて放映可能な複数の広告から当該広告ＩＤについて放映される広告を選択する動的広告確定ステップとを備えることを特徴とする。
【発明の効果】
【００３４】
本発明によれば、（１）広告主が直感的に広告出稿条件を指定できるよう、かつ、場所の特性を反映した多彩な広告メニューを構成でき、（２）放映計画の作案を自動化、省力化でき、（３）ロケーション側の審査を行いながら、外部環境の変化に応じて放映直前に素材データを差し替えることを可能にするための技術を提供することができる。
【図面の簡単な説明】
【００３５】
【図１】第１の実施の形態に係る放映計画情報生成装置を含む通信ネットワークシステムの構成図である。
【図２】放映計画情報生成装置１の構成を示す図である。
【図３】広告情報記憶手段１０１の構成と内容の例を示す図である。
【図４】媒体枠と販売枠の関係を示す図である。
【図５】販売枠と広告枠の関係を示す図である。
【図６】販売枠情報テンプレート記憶手段１０２の構成と内容の例を示す図である。
【図７】販売枠情報テンプレートの生成画面の例を示す図である。
【図８】第１の実施の形態における動作を示すフローチャートである。
【図９】媒体枠情報記憶手段１０３の構成と内容の例を示す図である。
【図１０】販売枠情報テンプレートを適用画面の例を示す図である。
【図１１】販売枠情報記憶手段１０４の構成と内容の例を示す図である。
【図１２】場所情報記憶手段１０６の構成と内容の例を示す図である。
【図１３】広告割り付け画面の例を示す図である。
【図１４】広告割り付け画面の別な例を示す図である。
【図１５】広告割り付け画面のさらに別な例を示す図である。
【図１６】放映計画情報の構成と内容の例を示す図である。
【図１７】放映計画情報を生成するためのフローチャートの例を示す図である。
【図１８】放映計画情報を生成するためのリストについての状態遷移の例を示す図である。
【図１９】放映計画情報の構成と別な内容の例を示す図である。
【図２０】放映計画情報を生成するためのフローチャートの別な例を示す図である。
【図２１】放映計画情報を生成するためのリストについての状態遷移の別な例を示す図である。
【図２２】放映計画情報の生成方法の別な例を示す図である。
【図２３】第２の実施の形態に係る放映計画情報生成装置の構成を示す図である。
【図２４】広告情報記憶手段１０１の構成と内容の例を示す図である。
【図２５】第２の実施の形態における動作を示すフローチャートである。
【図２６】動的変動データの内容の例を示す図である。
【図２７】放映計画情報の例を示す図である。
【図２８】従来技術１における広告申込み項目を示す図である。
【図２９】従来技術１における広告申込みの例を示す図である。
【図３０】従来の放映スケジュールの割り付け結果を示す図である。
【発明を実施するための形態】
【００３６】
以下、本発明の実施の形態について図面を参照して説明する。
【００３７】
［第１の実施の形態］
図１は、第１の実施の形態に係る放映計画情報生成装置を含む通信ネットワークシステムの構成図である。
【００３８】
通信ネットワークシステムは、放映計画情報生成装置１、統合管理サーバ２、複数のデジタルサイネージ配信サーバ３、複数の表示制御装置４、複数の表示装置５、広告主または広告代理店の社員等に操作される操作端末７、放映計画情報生成装置１の運用者に操作される操作端末８、表示装置５を管理する媒体主であるビル管理会社等の社員等に操作される操作端末９とを備える。
【００３９】
操作端末７、９は、インターネット等を介して、放映計画情報生成装置１に接続される。操作端末８は、通信ケーブルを介して、放映計画情報生成装置１に接続される。統合管理サーバ２は、通信ケーブルを介して、放映計画情報生成装置１に接続される。統合管理サーバ２は、インターネット等を介して、各デジタルサイネージ配信サーバ３に接続される。各デジタルサイネージ配信サーバ３は、ローカルエリアネットワーク等を介して、１つ以上の表示制御装置４に接続される。各表示制御装置４は、信号ケーブルを介して、１つ以上の表示装置５に接続される。
【００４０】
図２は、放映計画情報生成装置１の構成を示す図である。
【００４１】
放映計画情報生成装置１は、放映計画情報生成装置１により生成された放映計画情報等を記憶するメタデータ記憶手段１０と、表示装置５における広告の放映可能な時間区間である媒体枠を示す媒体枠情報を入力する媒体枠情報入力手段１１と、媒体枠を適宜分割および統合してなる販売枠を示す販売枠情報を生成する販売枠情報生成手段１２と、表示装置５に広告を放映する条件である広告出稿条件を入力する広告出稿条件入力手段１３と、販売枠情報を検索する販売枠情報検索手段１４と、販売枠情報に対応する販売枠に放映すべき広告の広告ＩＤを当該販売枠情報に含ませる広告割り付け手段１５と、販売枠情報を変更禁止（確定）する販売枠情報確定手段１６と、販売枠を構成する媒体枠について、該媒体枠に対応する販売枠情報内の広告ＩＤを含む放映計画情報を生成する放映計画情報生成手段１７と、放映計画情報を統合管理サーバ２に送信する放映計画情報送信手段１８とを備える。
【００４２】
媒体枠情報入力手段１１、放映計画情報送信手段１８は、操作端末８および統合管理サーバ２と通信可能になっている。操作端末６は、広告出稿条件入力手段１３および広告割り付け手段１５と通信可能になっている。操作端末７は、販売枠情報確定手段１６と通信可能になっている。
【００４３】
メタデータ記憶手段１０は、放映可能な広告を示す広告ＩＤと広告の内容とを含む広告情報を記憶する広告情報記憶手段１０１と、販売枠情報を生成するためのテンプレートである販売枠情報テンプレートを記憶する販売枠情報テンプレート記憶手段１０２と、媒体枠情報を記憶する媒体枠情報記憶手段１０３と、販売枠情報を記憶する販売枠情報記憶手段１０４と、放映計画情報を記憶する放映計画情報記憶手段１０５、各表示装置５について、該表示装置の場所に関する場所情報を記憶する場所情報記憶手段１０６を備える。
【００４４】
図３は、広告情報記憶手段１０１の構成と内容の例を示す図である。
【００４５】
広告情報記憶手段１０１は、操作端末６からの広告登録などにより、複数の広告情報を記憶する。各広告情報は、広告の識別情報（以下、広告ＩＤ）、広告が放映される時間の長さ（以下、広告の時間長）、広告の実体であるファイルのファイル名、広告に関する業種を示す業種識別情報（以下、業種ＩＤ）、ファイルの種別を含む。広告ＩＤは、操作端末６に通知され、広告主はその広告ＩＤつまり自身の広告の広告ＩＤを指定することが可能となっている。
【００４６】
広告自体（ファイル）は、図示しないが、例えば、放映計画情報生成装置１、または統合管理サーバ２に記憶される。
【００４７】
図４は、媒体枠と販売枠の関係を示す図である。
【００４８】
各表示装置５においては、広告の放映可能な時間区間である複数の媒体枠が設定される。ここで媒体は広告を意味する。媒体枠以外の時間帯には、媒体主によって、広告以外のコンテンツ（例えば、施設案内）が、デジタルサイネージ配信サーバ３によって放映される。
【００４９】
図４は、ある表示装置５において、１日の時間区間に媒体枠Ａ〜Ｅが設定されていることを示す。媒体枠は、単独での販売に適さないことがあるため、適宜分割および統合して販売枠とされる。販売枠は、分割および統合などにより、販売に適したものとなる。
【００５０】
図４は、媒体枠Ａ〜Ｅが設定された表示装置５において、朝帯（６：００〜１１：００）に属する媒体枠Ａ〜Ｃを統合した販売枠Ａ’、昼帯（１１：００〜１４：００）に属する媒体枠Ｄと媒体枠Ｅの一部とを統合した販売枠Ｂ’、午後帯（１４：００〜１８：００）に属する媒体枠Ｅの一部である販売枠Ｃ’、夜帯（１８：００〜２４：００）に属する媒体枠Ｅの一部である販売枠Ｄ’が設定されていることを示す。
【００５１】
図５は、販売枠と広告枠の関係を示す図である。
【００５２】
１つの販売枠には、１つ以上の広告枠が設定される。広告枠とは、同一の会社などの広告が放映される時間区間をいう。
【００５３】
図５（ａ）は、５分の販売枠に、Ａ社が購入した１つの広告枠と、Ｂ社が購入した２つの広告枠と、Ｄ社が購入した１つの広告枠と、Ｅ社が購入した１つの広告枠とが含まれ、各広告枠は同一の長さ（１分）を有することを示す。１つの広告枠では１つの広告を放映できるとした場合、例えば、Ａ、Ｄ、Ｅ社の広告（３０秒）を各２回、Ｂ社の広告（１分）を２回放映できることになる。
【００５４】
図５（ｂ）は、５分の販売枠に、Ａ社が購入した１つの広告枠と、Ｂ社が購入した１つの広告枠と、Ｃ社が購入した１つの広告枠と、Ｄ社が購入した１つの広告枠と、Ｅ社が購入した１つの広告枠とが含まれ、各広告枠は同一の長さ（１分）を有することを示す。１つの広告枠では任意数の広告を放映できるとした場合、例えば、Ａ社の広告（１０秒）を６回、Ｂ社の広告（３０秒）を２回、Ｃ社の２つの広告（３０秒）を１回づつ、Ｄ社の広告（１５秒）を２回と広告（３０秒）を１回、Ｅ社の広告（１分）を１回放映できることになる。
【００５５】
図６は、販売枠情報テンプレート記憶手段１０２の構成と内容の例を示す図である。
【００５６】
販売枠情報テンプレート記憶手段１０２は、少なくとも１つの販売枠情報テンプレートを記憶する。販売枠情報テンプレートは、販売枠を示す販売枠情報を生成するためのテンプレート（雛形）である。販売枠情報テンプレートは、例えば、販売枠情報テンプレートの販売枠情報テンプレート名、該販売枠情報テンプレートにより生成される販売枠情報に対応する販売枠内の媒体枠またはその一部を納めるべき時間範囲、当該販売枠に含ませる広告枠の長さ、当該広告枠の単価を含む。
【００５７】
図６は、平日用の４つの販売枠情報テンプレートと、休日用の２つの販売枠情報テンプレートを示す。休日用の一方の販売枠情報テンプレートには２つの時間範囲（６：００〜１１：００、１３：００〜２３：００）が含まれる。
【００５８】
販売枠は、例えば、類似の価値を有する媒体枠またはその一部を統合したものだから、販売枠情報テンプレートは、２つの時間範囲に含まれる媒体枠またはその一部を統合するようなものであってもよい。また、販売枠情報テンプレートに、日を跨った時間範囲を含ませ、販売枠が日を跨るようにしてもよい。例えば、平日、休日を区別せず、１つの販売枠が平日、休日に分散されるようにしてもよい。販売枠は、媒体枠を分割して構成されるものとして、統合は行わないような運用上の制約を設けてもよい。逆に、販売枠は、細かな媒体枠を統合したものとして構成し、媒体枠の分割を行わないような制約を設けることもできる。
【００５９】
図７は、販売枠情報テンプレートの生成画面の例を示す図である。
【００６０】
放映計画情報生成装置１は、この画面を操作端末７に表示させる。操作者は、販売枠情報テンプレート名、時間範囲、１つの広告枠の長さ、広告枠の単価、割り付け日、グループ化の有無を指定し、ＯＫボタンを押下すると、放映計画情報生成装置１は、その内容に応じた販売枠情報テンプレートを生成し、販売枠情報テンプレート記憶手段１０２に記憶させる。このような販売枠情報テンプレートに、適用期間（先２週間や先１ヶ月）や表示装置を関連づける機能を提供することで、利便性が向上する。
【００６１】
（第１の実施の形態における動作）
図８は、第１の実施の形態における動作を示すフローチャートである。
【００６２】
まず、図８のステップＳ１では、図２に示す媒体枠情報入力手段１１が、統合管理サーバ２または操作端末８から、複数の表示装置５のそれぞれについて、且つ、該表示装置５における複数の媒体枠のそれぞれについて、該媒体枠に対応する時間区間および表示装置を示す媒体枠情報を入力し、媒体枠情報記憶手段１０３に記憶させる。
【００６３】
図９は、媒体枠情報記憶手段１０３の構成と内容の例を示す図である。
【００６４】
媒体枠情報記憶手段１０３は、入力された各媒体枠情報を記憶する。各媒体枠情報は、対応する媒体枠の識別情報（以下、媒体枠ＩＤ）、当該媒体枠を設定された表示装置の識別情報（以下、表示装置ＩＤ）、当該媒体枠の時間区間（開始日時と終了日時により設定される）、当該媒体枠の状態を示す情報（以下、枠状態）を含む。また、各媒体枠情報は、対応する媒体枠またはその一部を含む販売枠が設定された場合、当該販売枠の識別情報（以下、販売枠ＩＤ）を含むこととなる。媒体枠の時間区間については、１つの広告枠の長さの倍数になるような制約を設け、広告枠の設定できない余りの時間区間が生じないようにするのが好ましい。
【００６５】
図８のステップＳ２では、図２に示す販売枠情報生成手段１２が、以下のタイミングで、販売枠情報の生成に使用されていない媒体枠情報を読み出し、販売枠情報を生成する。
【００６６】
（１）例えば、操作端末７が操作され、対象の媒体枠や表示装置ＩＤが指定されたときに販売枠情報が生成される。（２）または、夜間のバッチ処理により、定期的に販売枠情報が生成される。
【００６７】
販売枠情報生成手段１２は、まず、販売枠情報テンプレート記憶手段１０２から販売枠情報テンプレートを読み出す。
【００６８】
図１０は、販売枠情報テンプレートの適用画面の例を示す図である。
【００６９】
上記（１）の操作端末７が操作される場合、販売枠情報生成手段１２は、画面Ｇ１を操作端末７に表示させる。操作者は、画面Ｇ１で、表示装置を選択し、適用開始日と適用期間の長さを指定する。放映計画情報生成装置１は、画面Ｇ２で、販売枠情報テンプレートを選択し、適用ボタンを押下すると、当該販売枠情報テンプレートに関連づけられた表示装置と適用期間については、当該販売枠情報テンプレート販売枠を用いて販売枠情報を生成する。
【００７０】
この販売枠情報の生成には、媒体枠情報が必要であり、販売枠情報生成手段１２は、媒体枠情報記憶手段１０３から複数の媒体枠情報を読み出す。
【００７１】
そして、販売枠情報生成手段１２は、販売枠情報テンプレートに基づいて、読み出した媒体枠情報に対応する販売枠情報を生成し、販売枠情報記憶手段１０４に記憶させる。販売枠情報は、読み出した複数の媒体枠情報に対応する媒体枠を適宜分割および統合してなる販売枠の時間区間および該時間区間が設定される表示装置を示すものである。前述のように、販売枠は販売に適したものとなっており、販売枠情報はそのような販売枠を示すものとなっている。
【００７２】
図１１は、販売枠情報記憶手段１０４の構成と内容の例を示す図である。
【００７３】
販売枠情報記憶手段１０４は、販売枠情報生成手段１２によって生成された販売枠情報を記憶することとなる。
【００７４】
販売枠情報生成手段１２は、販売枠情報に、対応する販売枠の販売枠ＩＤ、該販売枠情報の生成に用いられた販売枠情報テンプレートに設定された販売枠情報テンプレート名、該販売枠内の広告枠数、該販売枠情報テンプレートに設定された広告枠の長さ、該販売枠情報テンプレートに設定された広告枠の単価、対応する表示装置の表示装置ＩＤを含ませ、該販売枠に割り付けられた広告数を０に初期化し、該割り付けられた広告に対応する広告ＩＤからなる広告ＩＤリストを「空」に初期化する。
【００７５】
ここで、図４に示す例を用いて、具体的に説明する。
【００７６】
販売枠情報生成手段１２は、販売枠Ａ’については、販売枠情報記憶手段１０４に、例えば、販売枠ＩＤ「５６」、朝帯を示す販売枠情報テンプレート名などを含む販売枠情報を記憶させ、媒体枠情報記憶手段１０３の対応する媒体枠情報に販売枠ＩＤ「５６」を記憶させる。昼帯、午後帯、夜帯についても同様である。
【００７７】
販売枠情報生成手段１２は、広告枠数については、例えば、１つの広告枠の長さを一定値とし、次の式（１）を用いて計算する。
【００７８】
広告枠数＝（対応する各販売枠の時間区間の長さの合計）÷（１つの広告枠の長さ）
…（１）
ただし、式（１）の（対応する各販売枠の時間区間の長さの合計）は、次の式（２）で計算する。
【００７９】
対応する各販売枠の時間区間の長さの合計＝対応する各媒体枠の時間区間の長さの合計
…（２）
ここで、媒体枠の時間区間は、図４の販売枠Ｂ’が媒体枠Ｅの一部を含むように、販売枠が媒体枠の一部を含む場合は、当該一部の時間区間である。販売枠Ｂ’の場合、媒体枠の時間区間の長さの合計は、媒体枠Ｄの時間区間と媒体枠Ｅの一部の時間区間の合計である。
【００８０】
図８のステップＳ３では、図２に示す広告出稿条件入力手段１３が、例えば、操作端末６から通信により広告出稿条件を入力する。または、広告出稿条件入力手段１３は、広告代理店などからの電話などによる申し込みに応じて、操作端末７に入力された広告出稿条件を操作端末７から入力する。
【００８１】
広告出稿条件は、例えば、以下の情報を含む。
【００８２】
（１）出稿期間：例えば、２００９年４月１日から２週間
（２）ターゲット属性：例えば、Ｆ１層（女性２０歳〜３４歳）に訴求する広告を放映したい。
【００８３】
（３）エリア：例えば、六本木エリアに広告を放映したい。
【００８４】
（４）予算：例えば、１００万円以下で広告を放映したい。
【００８５】
（５）ＧＲＰ目標：到達する可能性のある人数を目標値として設定する。
【００８６】
図８のステップＳ４では、図２に示す販売枠情報検索手段１４が、広告出稿条件に基づいて、メタデータ記憶手段１０に検索要求を実行し、広告出稿条件に適合する販売枠情報を検索し、販売枠情報記憶手段１０４から読み出す。
【００８７】
例えば、販売枠情報検索手段１４は、広告出稿条件に出稿期間が含まれる場合、図８の開始日時を参照して、該当の媒体枠情報から販売枠ＩＤを読み出し、該販売枠ＩＤを含む販売枠情報を販売枠情報記憶手段１０４から読み出す。
【００８８】
例えば、販売枠情報検索手段１４は、広告出稿条件にエリアなどの場所の条件が含まれる場合、場所情報記憶手段１０６を用いて、場所の条件に適合する販売枠情報を読み出す。
【００８９】
図１２は、場所情報記憶手段１０６の構成と内容の例を示す図である。
【００９０】
場所情報記憶手段１０６は、図２に示す各表示装置５について、該表示装置の場所に関する場所情報を記憶する。各場所情報は、例えば、対応する表示装置５の表示装置ＩＤ、該表示装置の場所における単位時間あたりの人の通行量、時間帯ごとの通行者の属性、当該場所の緯度および経度、当該場所を含むエリアのエリア名、当該表示装置が設置された施設の種別、当該場所の場所名を含む。
【００９１】
通行量は、表示装置前を通行する通行者の数を測定することで得られる。通行者の属性は、例えば、通行者の性年齢層を示すものである。属性の区分としては、マーケティングでよく使用される、Ｆ１＝女性２０〜３４歳、Ｆ２＝女性３５〜４９歳、Ｆ３＝女性５０歳以上、Ｍ１＝男性２０〜３４歳、Ｍ２＝男性３５〜４９歳、Ｍ３＝男性５０歳以上といったものでもよいし、より細かな区分でもよい。
【００９２】
なお、場所情報は、同図の例に限らず、場所の特性を表す様々の情報を含ませることができる。
【００９３】
販売枠情報検索手段１４は、広告出稿条件にターゲット属性やエリアが含まれる場合、そのターゲット属性などにマッチする場所情報を場所情報記憶手段１０６から検索し、該場所情報内の表示装置ＩＤを含む媒体枠情報を媒体枠情報記憶手段１０３から検索し、該媒体枠情報内の販売枠ＩＤを含む販売枠情報を販売枠情報記憶手段１０４から検索する。
【００９４】
販売枠情報検索手段１４は、広告出稿条件に予算やＧＲＰ目標が含まれる場合、例えば、ある基準で条件にマッチする販売枠情報をランキングし、上位から、予算やＧＲＰ目標が達成される数だけ、販売枠情報を選択する。
【００９５】
販売枠情報検索手段１４は、広告出稿条件に予算が含まれる場合、例えば、販売枠情報記憶手段１０４の販売枠情報にランクを付与する。ランク付与の基準としては、対応する販売枠の人気度、該販売枠の価格（広告枠の単価と広告数から計算可能）、対応する場所情報に設定された通行量などを考えることができる。販売枠情報検索手段１４は、例えば、ランクの高い販売枠情報から、予算を超えない限り、販売枠情報を選択する。
【００９６】
図８のステップＳ５では、図２に示す広告割り付け手段１５が、販売枠情報記憶手段１０４から読み出された販売枠情報、例えば、販売枠情報検索手段１４によって検索され、読み出された販売枠情報に基づいて、対応する販売枠を操作端末７に表示し、操作端末７への操作に応じて、該販売枠に広告を割り付ける。
【００９７】
広告を割り付ける方法としては、以下のような方法がある。
【００９８】
（１）図１３に示すように、全ての販売枠の一覧を表示し、選択された販売枠に広告を割り付ける。図１３において、横方向は出稿日と時間帯（朝、昼、夜）を表し、縦方向は表示装置を表し、各セルが販売枠を表す
広告主は操作端末７を操作し、所望の販売枠（セル）に広告数と広告ＩＤを入力する。広告割り付け手段１５は、入力された広告数と、対応する販売枠情報内の広告数（割り付けられた広告数）との合計が、該販売枠情報内の広告枠数を超えない場合、入力された広告数を該販売枠情報における広告数に加算し、入力された広告ＩＤを該販売枠情報における広告ＩＤリストに追加する。広告割り付け手段１５は、例えば、販売枠情報内の広告数と広告枠数が等しい場合、販売枠（セル）に斜線などを描画し、空きがないことを知らせる。
【００９９】
（２）図１４に示すように、広告出稿条件が入力されると、販売枠情報が検索されるので、検索された販売枠情報に対応する販売枠を一覧で表示し、選択された販売枠に広告を割り付ける。販売枠の数が多いと、（１）の方法では選択が困難であるから、広告出稿条件を満たす販売枠を表示すれば、販売枠の数は少なく、選択が容易である。
【０１００】
図１４では、広告出稿条件として、出稿期間、時間帯、表示装置の設置場所、周辺施設、路線名、タグ、ターゲット層、通行量、予算を入力し、検索ボタンを押下すると、販売枠情報検索手段１４は、広告出稿条件に基づいて、販売枠情報を検索し、該販売枠情報内の表示装置ＩＤ、該販売枠情報の生成に使用された販売枠情報テンプレートに設定された時間範囲および販売枠情報テンプレート名、対応する場所情報に設定された通行量、例えば、該販売枠に広告を割り当てた場合の費用を一覧表示する。さらに、地理的な近接性を知る上で、地図上に表示装置の位置をプロットするのも好適である。
【０１０１】
図１４において、所望の販売枠に対応するチェックボックスをチェックし、仮押さえボタンが押下されると、その販売枠は仮押さえされる。図示しないが、後に広告数と広告ＩＤが入力されると、上記（１）と同様な処理がなされる。
【０１０２】
（３）図１５に示すように、運用者が予め設定した広告出稿条件を満たす販売枠情報を検索し、検索された販売枠情報に対応する販売枠のいくつかをパッケージにし、一覧で表示し、選択されたパッケージに含まれる販売枠に広告を割り付ける。
【０１０３】
広告主が広告出稿条件を明示的に入力できない場合もあるため、このようにするのである。図１５では、それぞれ「六本木パッケージ」、「Ｆ１パッケージ」、「駅パッケージ」と名付けられたパッケージが表示されている。「六本木パッケージ」は、出稿期間「２００９／４／１〜２週間」、エリア「六本木」を満たす販売枠をパッケージにして表示したものである。パッケージの各項目は、予め設定した広告出稿条件、または、検索結果から構成される。出稿期間、時間帯は、広告出稿条件内のものである。場所は、対応する場所情報のエリア名から構成される。価格は、例えば、検索された販売枠情報内の広告枠の単価と広告枠数とから計算した販売枠の価格をパッケージ内の販売枠について合計したものである。または、価格は、例えば、販売枠の価格とは別に、パッケージのものとして設定した価格であってもよい。総視聴者数は、対応する場所情報に設定された単位時間あたりの人の通行量をパッケージ内の販売枠について合計したものである。
【０１０４】
また、広告は出稿期間において均等に割り付けるのでなく、割り付けに重み付けを行ってもよい。例えば、商品の販売前に広告キャンペーンを行い、広告キャンペーンを出稿期間とする場合、広告キャンペーン（出稿期間）の開始当初に集中して広告を割り付けたり、終了直前（販売開始直前）に集中して広告を割り付けてもよい。
【０１０５】
図８のステップＳ６では、図２に示す販売枠情報確定手段１６が、操作端末７からの指示により、販売枠情報記憶手段１０４内の販売枠情報を変更禁止（確定）し、放映計画情報生成手段１７に放映計画情報の生成を指示する。
【０１０６】
図８のステップＳ７では、図２に示す放映計画情報生成手段１７は、確定された販売枠情報に対応する販売枠を構成する媒体枠について、該媒体枠に対応する放映計画情報を生成し、放映計画情報記憶手段１０５に記憶させる。
【０１０７】
図１６は、放映計画情報の構成と内容の例を示す図である。
【０１０８】
放映計画情報は、例えば、複数の広告放映情報を含む。広告放映情報は、対応する広告の放映の順に並ぶ。各広告放映情報は、例えば、該広告放映情報の識別情報（以下、広告放映ＩＤ）、対応する表示装置の表示装置ＩＤ、該広告放映情報に対応する広告の広告ＩＤ、該広告の放映が開始される日時である開始日時、該広告が放映される時間の長さ（広告の時間長）を含む。
【０１０９】
広告ＩＤ「Ａｄ１」や広告ＩＤ「Ａｄ２」についての広告の時間長はそれぞれ「１５秒」、「１０秒」であり、広告ＩＤ「Ａｄ３」についての広告の時間長は６０秒である。
【０１１０】
図１７は、図１６に示す放映計画情報を生成するためのフローチャートの示す図であり、図１８は、図１６に示す放映計画情報を生成するためのリストの状態遷移を示す図である。
【０１１１】
放映計画情報生成手段１７は、まず、放映計画情報を空に初期化し、放映計画情報における１つの広告枠（ここでは、１８０秒の枠）に該当する複数の広告放映情報に含ませる各広告ＩＤ（ここでは、Ａｄ１，Ａｄ２，Ａｄ３）について、該広告ＩＤと当該広告枠に残っている時間区間の長さ（残り尺という）とを含むレコードを生成する（Ｓ１０１）。生成されたレコードをまとめてリストという。図１７においては、広告ＩＤ「Ａｄ１」と残り尺「１８０秒」とが設定されたレコードと、広告ＩＤ「Ａｄ２」と残り尺「１８０秒」とが設定されたレコードと、広告ＩＤ「Ａｄ３」と残り尺「１８０秒」とが設定されたレコードとからなるリストが生成される（Ｔ１）。
【０１１２】
次に、放映計画情報生成手段１７は、リストにおいて残り尺の長い順にレコードを並べる（Ｓ１０３）。
【０１１３】
次に、放映計画情報生成手段１７は、リストから１番目のレコード（ステップＳ１０３により、１番目のレコードには最長の残り尺が設定されている）を取り出し、該レコード内の広告ＩＤを含む広告放映情報を放映計画情報に含ませる（Ｓ１０５）。なお、広告放映情報には、広告枠ＩＤ、表示装置ＩＤ、開始日時、広告の時間長も設定される。開始日時には、放映計画情報に広告放映情報がない場合には、対応する媒体枠の時間区間の開始日時が設定され、一方、既に放映計画情報に広告放映情報がある場合には、最後に放送される広告の終了日時が設定される。
【０１１４】
次に、放映計画情報生成手段１７は、当該広告ＩＤを含む広告情報を広告情報記憶手段１０１から読み出し、ステップＳ１０５で取り出したレコードに設定された残り尺から当該読み出した広告情報に設定された広告の時間長を減算する（Ｓ１０７）。
【０１１５】
次に、放映計画情報生成手段１７は、減算後の値が０より大きいか否かを判定する（Ｓ１０９）。放映計画情報生成手段１７は、当該値が０より大きいなら、当該取り出したレコードをリストに戻す（Ｓ１１１）。
【０１１６】
放映計画情報生成手段１７は、減算後の値が０以下なら、あるいは、ステップＳ１１１の処理を終えると、リストが空か否かを判定し（Ｓ１１３）、リストが空でないなら、ステップＳ１０３に制御を移し、一方、リストが空なら処理を終了させる。
【０１１７】
図１８においては、広告ＩＤ「Ａｄ１」と残り尺「１８０秒」とが設定されたレコードが取り出され（Ｓ１０５）、残り尺「１８０秒」から広告の時間長「１５秒」が減算され（Ｓ１０７）、減算後の値（残り尺「１６５秒」）が０より大きいので、そのレコード（残り尺「１６５秒」と広告ＩＤ「Ａｄ１」とを含むレコード）がリストに戻され（Ｓ１１１）、リストにおいて残り尺の長い順にレコードを並べられ（Ｓ１０３）、残り尺「１６５秒」を含むレコードは、リストにおいては３番目（最後）のレコードとなる（Ｔ２）。
【０１１８】
以下、図１７のフローチャートにしたがえば、リストは図１８に示す状態遷移をたどることとなり、図１６の放映計画情報が生成される。
【０１１９】
図１９は、放映計画情報の構成と別な内容の例を示す図である。放映計画情報、例えば、複数の広告放映情報を含み、その設定項目については、図１６と同様なので、重複説明を省略する。
【０１２０】
図１９の放映計画情報は、同じ業種の広告についての広告放映情報が並ばないようにしたものである。広告ＩＤ「Ａｄ１」、「Ａｄ５」の広告は同じ飲料の業種の広告であり、そのような広告が連続して放映されるのは不都合なので、該当の広告放映情報が並ばない放映計画情報が生成される。
【０１２１】
図２０は、図１９に示す放映計画情報を生成するためのフローチャートであり、図２１は、図１９に示す放映計画情報を生成するためのリストの状態遷移を示す図である。
【０１２２】
放映計画情報生成手段１７は、まず、放映計画情報を空に初期化し、放映計画情報における１つの広告枠（ここでは、１８０秒の枠）に該当する複数の広告放映情報に含ませる各広告ＩＤ（ここでは、Ａｄ１，Ａｄ２，Ａｄ４，Ａｄ５）について、該広告ＩＤと当該広告枠に残っている時間区間の長さ（残り尺という）とを含むレコードを生成する（Ｓ２０１）。生成されたレコードをまとめてリストという。図２０においては、広告ＩＤ「Ａｄ１」と残り尺「１８０秒」とが設定されたレコードと、広告ＩＤ「Ａｄ２」と残り尺「１８０秒」とが設定されたレコードと、広告ＩＤ「Ａｄ４」と残り尺「１８０秒」とが設定されたレコードと、広告ＩＤ「Ａｄ５」と残り尺「１８０秒」とが設定されたレコードからなるリストが生成される（Ｔ２１）。ここでは、各広告ＩＤ「Ａｄ１」、「Ａｄ２」、「Ａｄ４」、「Ａｄ５」の業種は、飲料、自動車、通信、飲料とする。
【０１２３】
次に、放映計画情報生成手段１７は、リストにおいて同じ業種のレコードが並ばないようにレコードを並べる（Ｓ２０３）。具体的には、放映計画情報生成手段１７は、広告ＩＤをキーに広告情報記憶手段１０１を参照し、同じ業種ＩＤとともに広告情報に含まれる各広告ＩＤを含むレコードがリストにおいて並ばないようにする。なお、放映計画情報生成手段１７は、必ずしも同じ業種のレコードが並ばないようにできない場合であっても、可能な限り同じ業種のレコードが並ばないようにする。
【０１２４】
次に、放映計画情報生成手段１７は、リストから１番目のレコードを取り出し、該レコード内の広告ＩＤを含む広告放映情報を放映計画情報に含ませる（Ｓ２０５）。なお、広告放映情報には、図１７のフローチャートの場合と同様に、広告枠ＩＤ、表示装置ＩＤ、開始日時、広告の時間長も設定される。
【０１２５】
次に、放映計画情報生成手段１７は、当該広告ＩＤを含む広告情報を広告情報記憶手段１０１から読み出し、ステップＳ２０５で取り出したレコードに設定された残り尺から当該読み出した広告情報に設定された広告の時間長を減算する（Ｓ２０７）。
【０１２６】
次に、放映計画情報生成手段１７は、減算後の値が０より大きいか否かを判定する（Ｓ２０９）。放映計画情報生成手段１７は、当該値が０より大きいなら、当該取り出したレコードをリストに戻す（Ｓ２１１）。
【０１２７】
放映計画情報生成手段１７は、減算後の値が０以下なら、あるいは、ステップＳ２１１の処理を終えると、リストが空か否かを判定し（Ｓ２１３）、リストが空でないなら、ステップＳ２０３に制御を移し、一方、リストが空なら処理を終了させる。
【０１２８】
図２１においては、１番目のレコード（広告ＩＤ「Ａｄ１」のレコード）と４番目のレコード（広告ＩＤ「Ａｄ５」のレコード）は、論理的には並んでいることになるので、ステップＳ２０３では、３番目と４番目のレコードを入れ替える（Ｔ２２）。その後、１番目のレコード（広告ＩＤ「Ａｄ１」のレコード）が取り出され（Ｓ２０５）、残り尺「１８０秒」から広告の時間長「１５秒」が減算され（Ｓ２０７）、減算後の値（残り尺「１６５秒」）が０より大きいので、そのレコード（残り尺「１６５秒」と広告ＩＤ「Ａｄ１」とを含むレコード）がリストに戻され（Ｓ２１１）、ステップＳ２０３では、リストにおいて同じ業種のレコードが並ばないように、戻されたレコードは最後のレコードとされる（Ｔ２３）。
【０１２９】
以下、図２０のフローチャートにしたがえば、リストは図２１に示す状態遷移をたどることとなり、図１９の放映計画情報が生成される。
【０１３０】
図２２は、より複雑な放映計画情報の生成方法（パッキングレイアウト）を示す図である。
【０１３１】
図２２（ａ）に示すような、広告ＩＤ「Ａｄ５」（１５秒の広告のもの）、広告ＩＤ「Ａｄ２」（５秒の広告のもの）、広告ＩＤ「Ａｄ３」（２５秒の広告のもの）からなる広告ＩＤリストと、図２１（ｂ）に示すような、時間区間の長さ（尺）の異なる媒体枠２１、２２、２３を考える。
【０１３２】
広告ＩＤリストの先頭の広告ＩＤの広告から順に媒体枠に割り付けると、余りが発生する。この問題は、ナップザック問題や部分和問題と称され、動的計画法で、広告の組み合わせパターンを計算することができる。
【０１３３】
なお、どうしても余りが生じる場合は、埋め草（フィラー）コンテンツとして、会社のロゴ等を用意しておき、このロゴ等で余りを埋めることもできる。
【０１３４】
以上、３通りの放映計画情報の生成方法について説明したが、放映計画情報を微調整できるように、放映計画情報をオペレータが編集できるようなグラフィカルユーザインタフェースを提供することが望ましい。
【０１３５】
図８のステップＳ８では、図２に示す放映計画情報送信手段１８が、放映計画情報記憶手段１０５から放映計画情報を読み出し、統合管理サーバ２に送信する。放映計画情報生成装置１が広告を記憶しているときは、広告も送信される。
【０１３６】
統合管理サーバ２は、例えば、予め各表示装置５の表示装置ＩＤに対応づけて、該表示装置ＩＤを含む放映計画情報の送信先とすべきデジタルサイネージ配信サーバ３のアドレスなどを記憶しており、送信された放映計画情報内の表示装置ＩＤに対応するデジタルサイネージ配信サーバ３に当該放映計画情報を送信する。統合管理サーバ２が広告を記憶しているときは、広告も送信される。
【０１３７】
デジタルサイネージ配信サーバ３は、例えば、予め各表示装置５の表示装置ＩＤに対応づけて、該表示装置ＩＤを含む放映計画情報の送信先とすべき表示制御装置４のアドレスなどを記憶しており、送信された放映計画情報内の表示装置ＩＤに対応する表示制御装置４に当該放映計画情報と広告（ファイル）を送信する。
【０１３８】
表示制御装置４は、放映計画情報と広告（ファイル）を記憶しておき、開始時刻が到来したら、広告ＩＤに対応するファイルを読み出し、該ファイル（広告）を表示装置５で放映する。
【０１３９】
例えば、図１７のフローチャートにより生成された放映計画情報により広告を放映すれば、短時間の広告が長い時間に渡り繰り返し放映されるといったバランスの悪い広告割当を防止することができる。
【０１４０】
また、図２０のフローチャートにより生成された放映計画情報により広告を放映すれば、例えば、競合会社の広告が連続して放映されることを防止することができる。
【０１４１】
なお、図１７のフローチャートにおいて、ステップＳ１０３とステップＳ１０５の間に、図２０のステップＳ２０３の処理を行えば、上記の２つの効果を得ることができる。
【０１４２】
なお、放映計画情報送信手段１８は、放映計画情報をデジタルサイネージ配信サーバ３に送信してもよい。また、放映計画情報はファイルとして出力してもよい。
【０１４３】
したがって、第１の実施の形態によれば、広告主が広告の開始時刻や終了時刻を個別に指定することなく、直感的な広告割り当てを行うことができる。
【０１４４】
また、表示装置の場所の特性を反映した多彩な広告メニューを構成することができる。
【０１４５】
また、短時間の広告の長時間放映や競合業種の広告の連続放映を防止でき、放映計画の利便性に寄与することができる。
【０１４６】
［第２の実施の形態］
次に、本発明に係る第２の実施の形態について説明する。第２の実施の形態では、放映計画情報生成装置が通信ネットワークシステムに含まれ、通信ネットワークシステムの構成は、図１に示すものと同様なので、説明を省略する。
【０１４７】
図２３は、第２の実施の形態に係る放映計画情報生成装置の構成を示す図である。
【０１４８】
放映計画情報生成装置１Ａは、放映計画情報生成装置１に対して、動的変動データ入力手段１９、動的広告確定手段１１０をさらに備えた構成である。動的変動データ入力手段１９は、操作端末７および外部情報サーバ２０と通信可能になっている。放映計画情報生成装置１の構成要素と同じものには同一符号を付して説明は省略する。
【０１４９】
外部情報サーバ２０は、天気情報、株価、イベント情報など、動的に（時間経過とともに）変化する動的変動データをリアルタイムに提供するサーバである。
【０１５０】
図２４は、第２の実施の形態における広告情報記憶手段１０１の構成と内容の例を示す図である。
【０１５１】
広告情報には、第１の実施の形態の広告情報に対して、さらに、対応する広告を放映すべき条件である広告放映条件を含む。
【０１５２】
図２４においては、広告ＩＤ「Ａｄ１」を含む２つの広告情報が示されている。つまり、広告ＩＤ「Ａｄ１」、ファイル名「ａｄ１＿ｆｉｎｅ．ｍｐｇ」および広告放映条件「晴れ」を含む広告情報と、広告ＩＤ「Ａｄ１」、ファイル名「ａｄ１＿ｒａｉｎ．ｍｐｇ」および広告放映条件「晴れ以外」を含む広告情報とが広告情報記憶手段１０１に記憶されている。前者は、晴れのときに、後者は晴れ以外のときに選択されることとなる。
【０１５３】
また、図２４においては、広告ＩＤ「Ａｄ３」を含む３つの広告情報が示されている。つまり、広告ＩＤ「Ａｄ３」、ファイル名「Ａｄ３．ｍｐｇ」および広告放映条件「画角＝４：３」を含む広告情報と、広告ＩＤ「Ａｄ３」、ファイル名「Ａｄ３＿ｈｄ．ｍｐｇ」および広告放映条件「画角＝１６：９」を含む広告情報と、広告ＩＤ「Ａｄ３」、ファイル名「Ａｄ３＿ｖｅｒｔ．ｍｐｇ」および広告放映条件「画角＝９：１６」を含む広告情報と、が広告情報記憶手段１０１に記憶されている。１番目の広告情報は、表示装置の画角が４：３のときに、２番目の広告情報は、表示装置の画角が１６：９（横長）のときに、３番目の広告情報は、表示装置の画角が９：１６（縦長）のときに選択されることとなる。
【０１５４】
図２５は、第２の実施の形態における動作を示すフローチャートである。
【０１５５】
ステップＳ１〜Ｓ５、Ｓ６〜Ｓ８は、第１の実施の形態と同様なので、同一符号を付して説明は省略する。
【０１５６】
図２５のステップＳ５ａでは、広告割り付け手段１５により、販売枠に広告が割り付けられた後、該広告に対応するファイルの審査を行う。これにより、表示装置５には審査で承認済みの広告のみが放映されるので、意図しない広告が放映されてしまうトラブルを防ぐことができる。なお、ステップＳ５ａは省略してもよい。
【０１５７】
図２５のステップＳ７ａでは、図２３に示す動的変動データ入力手段１９が、操作端末７または外部情報サーバ２０から、動的変動データを逐次入力し、動的広告確定手段１１０に送る。動的変動データ入力手段１９は、外部情報サーバ２０からＦＴＰやＨＴＴＰ等のプロトコルを用いてインターネット等を介して送信された動的変動データを放映計画情報生成装置１Ａで既定される形式に変換し、動的広告確定手段１１０に送る。
【０１５８】
図２６は、動的変動データの内容の例を示す図である。
【０１５９】
動的変動データは、例えば、データの日付、地域、当該地域の天気、当該地域の降水確率、当該地域の最低気温、当該地域の最高気温を含む。なお、操作端末７に対し、操作者が同様の天気情報、株価等の動的変動データを入力し、これを動的変動データ入力手段１９が取得し、動的広告確定手段１１０に送ってもよい。
【０１６０】
天気を表す単語は多いため、天気名を正規化するのが好ましい。
【０１６１】
例えば、
晴れ＝  快晴、晴れ、晴れ時々曇り、・・・
曇り＝  曇り、うす曇、曇り時々晴れ、・・・
雨＝      雨、霧雨、雨時々曇り、・・・
雪＝      雪、ひょう、あられ、雪のち雨、・・・
といった類義語辞書を準備しておき、「快晴」、「晴れ時々曇り」などの類義語を「晴れ」に正規化することで、検索漏れを減らし検索精度を高めることができる。
【０１６２】
図２５のステップＳ７ｂでは、図２３に示す動的広告確定手段１１０が、動的変動データおよび表示装置ＩＤや期間を指定して呼び出される。動的広告確定手段１１０は、表示装置ＩＤや期間に対応する放映計画情報を放映計画情報記憶手段１０５から読み出し、指定された動的変動データに基づいて、当該放映計画情報内の広告ＩＤを確定させる。
【０１６３】
図２７に示す放映計画情報を例として動的広告確定手段１１０の動作を説明する。
【０１６４】
動的広告確定手段１１０は、放映計画情報内の各広告放映情報（列）について、以下の処理を実行する。
【０１６５】
まず、動的広告確定手段１１０は、広告ＩＤを読み出し、該広告ＩＤを含む広告情報を広告情報記憶手段１０１から検索し、該広告情報から広告放映条件を読み出し、指定された動的変動データが広告放映条件を満たすか否かを判定する。広告放映条件が満たされているなら、当該広告情報内のファイル名を当該列に含ませる。
【０１６６】
これにより、広告放映情報（列）は、広告ＩＤに加え、該広告ＩＤについて放映される広告のファイル名をも含む。
【０１６７】
この放映計画情報を受信した表示制御装置４は、放映計画情報を参照し、開始時刻が到来したら、ファイル名に対応するファイルを読み出し、該ファイル（広告）を表示装置５で放映する。
【０１６８】
したがって、第２の実施の形態によれば、天候や気温といった動的な外部条件の変化に応じて、放映する広告の内容を切り替えることができる。よって、手作業で切り替えを行う煩雑さを回避できる。
【０１６９】
なお、第２の実施の形態では、広告に対してファイルが１：ｎの関係で対応するデータ構造を用いて説明したが、広告に対して複数のコンテンツが１：ｎの関係で対応し、コンテンツに対して複数のファイルが１：ｍの関係で対応するようなデータ構造に拡張してもよい。コンテンツとは内容が同じファイルの集合である。例えば、１つのコンテンツにフォーマットや解像度が異なるファイルを関連づけることができる。
【０１７０】
なお、各実施の形態に係る放映計画情報生成装置としてコンピュータを機能させるためのコンピュータプログラムは、半導体メモリ、磁気ディスク、光ディスク、光磁気ディスク、磁気テープなどのコンピュータ読み取り可能な記録媒体に記録でき、また、インターネットなどの通信網を介して伝送させて、広く流通させることができる。
【符号の説明】
【０１７１】
１、１Ａ…放映計画情報生成装置
２…統合管理サーバ
３…デジタルサイネージ配信サーバ
４…表示制御装置
５…表示装置
６、７、８…操作端末
１０…メタデータ記憶手段
１１…媒体枠情報入力手段
１２…販売枠情報生成手段
１３…広告出稿条件入力手段
１４…販売枠情報検索手段
１５…広告割り付け手段
１６…販売枠情報確定手段
１７…放映計画情報生成手段
１８…放映計画情報送信手段
１９…動的変動データ入力手段
２０…外部情報サーバ
１０１…広告情報記憶手段
１０２…販売枠情報テンプレート記憶手段
１０３…媒体枠情報記憶手段
１０４…販売枠情報記憶手段
１０５…放映計画情報記憶手段
１０６…場所情報記憶手段
１１０…動的広告確定手段
【図１】
2011109564.tif 000003
【図２】
2011109564.tif 000004
【図３】
2011109564.tif 000005
【図４】
2011109564.tif 000006
【図５】
2011109564.tif 000007
【図６】
2011109564.tif 000008
【図７】
2011109564.tif 000009
【図８】
2011109564.tif 000010
【図９】
2011109564.tif 000011
【図１０】
2011109564.tif 000012
【図１１】
2011109564.tif 000013
【図１２】
2011109564.tif 000014
【図１３】
2011109564.tif 000015
【図１４】
2011109564.tif 000016
【図１５】
2011109564.tif 000017
【図１６】
2011109564.tif 000018
【図１７】
2011109564.tif 000019
【図１８】
2011109564.tif 000020
【図１９】
2011109564.tif 000021
【図２０】
2011109564.tif 000022
【図２１】
2011109564.tif 000023
【図２２】
2011109564.tif 000024
【図２３】
2011109564.tif 000025
【図２４】
2011109564.tif 000026
【図２５】
2011109564.tif 000027
【図２６】
2011109564.tif 000028
【図２７】
2011109564.tif 000029
【図２８】
2011109564.tif 000030
【図２９】
2011109564.tif 000031
【図３０】
2011109564.tif 000032